【手続補正書】
【提出日】平成23年2月18日(2011.2.18)
【手続補正１】
【補正対象書類名】特許請求の範囲
【補正対象項目名】全文
【補正方法】変更
【補正の内容】
【特許請求の範囲】
【請求項１】
第１の機能と第２の機能を実行可能であり、各機能の処理条件をユーザインタフェースを用いて設定する情報処理装置であって、
前記第１の機能または前記第２の機能を選択する選択手段と、
前記選択手段によって前記第１の機能または前記第２の機能が選択された場合、前記第１の機能と前記第２の機能の双方に共通するユーザインタフェース画面を表示させる表示制御手段と、
前記ユーザインタフェース画面から、前記選択手段によって選択された機能の処理条件を設定する設定手段と、を有し、
前記表示制御手段は、前記選択手段によって前記第１の機能が選択された場合、特定の処理に対する指示を可能にしたユーザインタフェース画面を表示させ、前記選択手段によって前記第２の機能が選択された場合、前記特定の処理に対する指示を可能にしたユーザインタフェース画面を表示させないことを特徴とする情報処理装置。
【請求項２】
第１の機能と第２の機能を実行可能であり、各機能の処理条件をユーザインタフェースを用いて設定する情報処理装置であって、
前記第１の機能または前記第２の機能を選択する選択手段と、
前記選択手段によって前記第１の機能または前記第２の機能が選択された場合、前記第１の機能と前記第２の機能の双方に共通するユーザインタフェース画面を表示させる表示制御手段と、
前記ユーザインタフェース画面から、前記選択手段によって選択された機能の処理条件を設定する設定手段と、を有し、
前記表示制御手段は、前記選択手段によって前記第１の機能が選択された場合、前記ユーザインタフェース画面から遷移した後に特定の画面を表示させ、前記選択手段によって前記第２の機能が選択された場合、前記ユーザインタフェース画面から遷移した後に前記特定の画面を表示させないことを特徴とする情報処理装置。
【請求項３】
前記表示制御手段は、前記特定の処理に対応するボタンを表示することによって当該特定の処理に対する指示を可能にすることを特徴とする請求項１に記載の情報処理装置。
【請求項４】
前記特定の画面は、前記第１の機能の実行後に表示される画面であることを特徴とする請求項２に記載の情報処理装置。
【請求項５】
前記第１の機能と前記第２の機能とユーザインタフェース画面とを対応付けて記憶する記憶手段を更に有することを特徴とする請求項１乃至４のいずれか１項に記載の情報処理装置。
【請求項６】
前記第１の機能は前記情報処理装置が備えるメモリに格納された文書を印刷する機能であり、前記第２の機能は前記情報処理装置に接続された可搬型メモリに格納された文書を印刷する機能であることを特徴とする請求項１乃至５のいずれか１項に記載の情報処理装置。
【請求項７】
前記第１の機能と前記第２の機能の双方に共通するユーザインタフェース画面は、格納文書印刷用のユーザインタフェース画面であることを特徴とする請求項６に記載の情報処理装置。
【請求項８】
第１の機能と第２の機能を実行可能であり、各機能の処理条件をユーザインタフェースを用いて設定する情報処理装置を制御する情報処理装置の制御方法であって、
前記情報処理装置の選択手段が、前記第１の機能または前記第２の機能を選択する選択工程と、
前記情報処理装置の表示制御手段が、前記選択工程で前記第１の機能または前記第２の機能が選択された場合、前記第１の機能と前記第２の機能の双方に共通するユーザインタフェース画面を表示させる表示制御工程と、
前記情報処理装置の設定手段が、前記ユーザインタフェース画面から、前記選択工程で選択された機能の処理条件を設定する設定工程と、を有し、
前記表示制御工程は、前記選択工程で前記第１の機能が選択された場合、特定の処理に対する指示を可能にしたユーザインタフェース画面を表示させ、前記選択工程で前記第２の機能が選択された場合、前記特定の処理に対する指示を可能にしたユーザインタフェース画面を表示させないことを特徴とする情報処理装置の制御方法。
【請求項９】
第１の機能と第２の機能を実行可能であり、各機能の処理条件をユーザインタフェースを用いて設定する情報処理装置を制御する情報処理装置の制御方法であって、
前記情報処理装置の選択手段が、前記第１の機能または前記第２の機能を選択する選択工程と、
前記情報処理装置の表示制御手段が、前記選択工程で前記第１の機能または前記第２の機能が選択された場合、前記第１の機能と前記第２の機能の双方に共通するユーザインタフェース画面を表示させる表示制御工程と、
前記情報処理装置の設定手段が、前記ユーザインタフェース画面から、前記選択工程で選択された機能の処理条件を設定する設定工程と、を有し、
前記表示制御工程は、前記選択工程で前記第１の機能が選択された場合、前記ユーザインタフェース画面から遷移した後に特定の画面を表示させ、前記選択工程で前記第２の機能が選択された場合、前記ユーザインタフェース画面から遷移した後に前記特定の画面を表示させないことを特徴とする情報処理装置の制御方法。
【請求項１０】
請求項８又は９に記載の制御方法をコンピュータに実行させるためのコンピュータ実行可能なプログラム。
【手続補正２】
【補正対象書類名】明細書
【補正対象項目名】発明の名称
【補正方法】変更
【補正の内容】
【発明の名称】情報処理装置とその制御方法およびプログラム
【手続補正３】
【補正対象書類名】明細書
【補正対象項目名】０００１
【補正方法】変更
【補正の内容】
【０００１】
本発明は、複数種の機能を実行するアプリケーションを有し、ユーザにより指定された機能を実行する情報処理装置及び当該装置の制御方法に関するものである。尚、この情報処理装置は、複合機などの画像形成装置、通信装置、ＰＣ、スキャナ等の画像入力装置、カメラなどの撮像装置を含む。
【手続補正４】
【補正対象書類名】明細書
【補正対象項目名】０００６
【補正方法】変更
【補正の内容】
【０００６】
本願発明の一態様によれば、複数の機能が共通のユーザインタフェース画面を使用できるとともに、選択された機能に応じて、特定の処理に対する指示を可能にしたユーザインタフェース画面を表示するかしないかを制御する技術を提供できる。
【手続補正５】
【補正対象書類名】明細書
【補正対象項目名】０００７
【補正方法】変更
【補正の内容】
【０００７】
また本願発明の他の態様によれば、複数の機能が共通のユーザインタフェース画面を使用できるとともに、選択された機能に応じて、そのユーザインタフェース画面から特定の画面への遷移を変更する。こうして処理条件の設定をより効率良くできるようにする技術を提供できる。
【手続補正６】
【補正対象書類名】明細書
【補正対象項目名】０００８
【補正方法】変更
【補正の内容】
【０００８】
上記目的を達成するために本発明の一態様に係る情報処理装置は以下のような構成を備える。即ち、
第１の機能と第２の機能を実行可能であり、各機能の処理条件をユーザインタフェースを用いて設定する情報処理装置であって、
前記第１の機能または前記第２の機能を選択する選択手段と、
前記選択手段によって前記第１の機能または前記第２の機能が選択された場合、前記第１の機能と前記第２の機能の双方に共通するユーザインタフェース画面を表示させる表示制御手段と、
前記ユーザインタフェース画面から、前記選択手段によって選択された機能の処理条件を設定する設定手段と、を有し、
前記表示制御手段は、前記選択手段によって前記第１の機能が選択された場合、特定の処理に対する指示を可能にしたユーザインタフェース画面を表示させ、前記選択手段によって前記第２の機能が選択された場合、前記特定の処理に対する指示を可能にしたユーザインタフェース画面を表示させないことを特徴とする。
【手続補正７】
【補正対象書類名】明細書
【補正対象項目名】０００９
【補正方法】変更
【補正の内容】
【０００９】
上記目的を達成するために本発明の一態様に係る情報処理装置は以下のような構成を備える。即ち、
第１の機能と第２の機能を実行可能であり、各機能の処理条件をユーザインタフェースを用いて設定する情報処理装置であって、
前記第１の機能または前記第２の機能を選択する選択手段と、
前記選択手段によって前記第１の機能または前記第２の機能が選択された場合、前記第１の機能と前記第２の機能の双方に共通するユーザインタフェース画面を表示させる表示制御手段と、
前記ユーザインタフェース画面から、前記選択手段によって選択された機能の処理条件を設定する設定手段と、を有し、
前記表示制御手段は、前記選択手段によって前記第１の機能が選択された場合、前記ユーザインタフェース画面から遷移した後に特定の画面を表示させ、前記選択手段によって前記第２の機能が選択された場合、前記ユーザインタフェース画面から遷移した後に前記特定の画面を表示させないことを特徴とする。
【手続補正８】
【補正対象書類名】明細書
【補正対象項目名】００１０
【補正方法】変更
【補正の内容】
【００１０】
上記目的を達成するために本発明の一態様に係る情報処理装置の制御方法は以下のような工程を備える。即ち、
第１の機能と第２の機能を実行可能であり、各機能の処理条件をユーザインタフェースを用いて設定する情報処理装置を制御する情報処理装置の制御方法であって、
前記情報処理装置の選択手段が、前記第１の機能または前記第２の機能を選択する選択工程と、
前記情報処理装置の表示制御手段が、前記選択工程で前記第１の機能または前記第２の機能が選択された場合、前記第１の機能と前記第２の機能の双方に共通するユーザインタフェース画面を表示させる表示制御工程と、
前記情報処理装置の設定手段が、前記ユーザインタフェース画面から、前記選択工程で選択された機能の処理条件を設定する設定工程と、を有し、
前記表示制御手段は、前記選択工程で前記第１の機能が選択された場合、特定の処理に対する指示を可能にしたユーザインタフェース画面を表示させ、前記選択工程で前記第２の機能が選択された場合、前記特定の処理に対する指示を可能にしたユーザインタフェース画面を表示させないことを特徴とする。
【手続補正９】
【補正対象書類名】明細書
【補正対象項目名】００１１
【補正方法】変更
【補正の内容】
【００１１】
上記目的を達成するために本発明の一態様に係る情報処理装置の制御方法は以下のような工程を備える。即ち、
第１の機能と第２の機能を実行可能であり、各機能の処理条件をユーザインタフェースを用いて設定する情報処理装置を制御する情報処理装置の制御方法であって、
前記情報処理装置の選択手段が、前記第１の機能または前記第２の機能を選択する選択工程と、
前記情報処理装置の表示制御手段が、前記選択工程で前記第１の機能または前記第２の機能が選択された場合、前記第１の機能と前記第２の機能の双方に共通するユーザインタフェース画面を表示させる表示制御工程と、
前記情報処理装置の設定手段が、前記ユーザインタフェース画面から、前記選択工程で選択された機能の処理条件を設定する設定工程と、を有し、
前記表示制御工程は、前記選択工程で前記第１の機能が選択された場合、前記ユーザインタフェース画面から遷移した後に特定の画面を表示させ、前記選択工程で前記第２の機能が選択された場合、前記ユーザインタフェース画面から遷移した後に前記特定の画面を表示させないことを特徴とする。
【手続補正１０】
【補正対象書類名】明細書
【補正対象項目名】００１２
【補正方法】変更
【補正の内容】
【００１２】
本発明によれば、複数の機能が共通のユーザインタフェース画面を使用できるとともに、選択された機能に応じて、特定の処理に対する指示を可能にしたユーザインタフェース画面を表示するかしないかを制御する技術を提供できる。
【手続補正１１】
【補正対象書類名】明細書
【補正対象項目名】００１３
【補正方法】変更
【補正の内容】
【００１３】
また本願発明の他の態様によれば、複数の機能が共通のユーザインタフェース画面を使用できるとともに、選択された機能に応じて、そのユーザインタフェース画面から特定の画面への遷移を変更するようにして処理条件の設定をより効率良くできる。